(57)【特許請求の範囲】
【請求項１】
複数の画像形成装置のいずれかに対して、画像形成を依頼する情報処理装置において、
当該情報処理装置のユーザの属性を示すユーザ属性情報と、それぞれの画像形成装置の属性を示す画像形成装置属性情報を取得する情報取得手段と、
設定された画像形成装置に対して画像形成を依頼する画像形成依頼処理手段と、
前記情報取得手段が取得したユーザ属性情報、及び画像形成装置属性情報に基づいて、画像形成を依頼する画像形成装置を選択し、選択した画像形成装置へ画像形成を依頼するように前記画像形成依頼処理手段に対する設定を行う画像形成設定手段とを有し、
前記画像形成設定手段は、前記画像形成設定手段で選択された画像形成装置を、通常使用する画像形成装置として前記画像形成依頼処理手段に設定する
ことを特徴とする情報処理装置。
【請求項２】
前記画像形成設定手段は、前記情報取得手段が取得したユーザ属性情報と、それぞれの画像形成装置属性情報とをマッチングし、そのマッチング結果に基づいていずれかの画像形成装置属性情報に対応する画像形成装置を選択することを特徴とする請求項１に記載の情報処理装置。
【請求項３】
前記情報取得手段が取得するユーザ属性情報には、当該情報処理装置のユーザの位置情報が含まれており、
前記情報取得手段が取得する画像形成装置属性情報には、画像形成装置の位置情報が含まれており、
前記画像形成設定手段は、前記情報取得手段が取得したユーザ属性情報を構成する位置情報と、それぞれの画像形成装置属性情報を構成する位置情報とをマッチングし、位置情報が一致する画像形成装置属性情報に対応する画像形成装置を選択する
ことを特徴とする請求項２に記載の情報処理装置。
【請求項４】
前記情報取得手段は、外部の情報提供装置から、ユーザ属性情報及び画像形成装置属性情報を取得することを特徴とする請求項１〜３のいずれかに記載の情報処理装置。
【請求項５】
複数の画像形成装置のいずれかに対して、画像形成を依頼する情報処理装置に搭載されたコンピュータを、
当該情報処理装置のユーザの属性を示すユーザ属性情報と、それぞれの画像形成装置の属性を示す画像形成装置属性情報を取得する情報取得手段と、
設定された画像形成装置に対して画像形成を依頼する画像形成依頼処理手段と、
前記情報取得手段が取得したユーザ属性情報、及び画像形成装置属性情報に基づいて、画像形成を依頼する画像形成装置を選択し、選択した画像形成装置へ画像形成を依頼するように前記画像形成依頼処理手段に対する設定を行う画像形成設定手段として機能させ、
前記画像形成設定手段は、前記画像形成設定手段で選択された画像形成装置を、通常使用する画像形成装置として前記画像形成依頼処理手段に設定する
して機能させることを特徴とする情報処理プログラム。
【請求項６】
複数の画像形成装置と、いずれかの前記画像形成装置に画像形成を依頼する情報処理装置とを備える画像形成システムにおいて、前記情報処理装置として請求項１〜４のいずれかに記載の情報処理装置を適用したことを特徴とする画像形成システム。
【請求項７】
ユーザの属性を示すユーザ属性情報、及びそれぞれの画像形成装置の属性を示す画像形成装置属性情報を前記情報処理装置に提供する情報提供装置をさらに備えることを特徴とする請求項６に記載の画像形成システム。
【請求項８】
前記画像形成装置は、
前記画像形成装置のユーザに係るユーザ属性情報を取得する画像形成装置側情報取得手段と、
前記画像形成装置側情報取得手段が取得したユーザ属性情報に応じて、当該画像形成装置の動作を制御する制御手段と
を有することを特徴とする請求項６又は７に記載の画像形成システム。
【請求項９】
前記画像形成装置側情報取得手段が取得するユーザ属性情報には、ユーザの年齢又は生年月日の情報が含まれており、
前記制御手段は、前記画像形成装置側情報取得手段が取得したユーザ属性情報に基づいてユーザの年齢を取得し、取得した年齢に基づいて当該画像形成装置の動作を制御する
ことを特徴とする請求項８に記載の画像形成システム。
【発明の詳細な説明】
【技術分野】
【０００１】
この発明は、情報処理装置、情報処理プログラム、及び画像形成システムに関し、例えば、複数の画像形成装置（プリンタ）を備える画像形成システムに適用し得る。
【背景技術】
【０００２】
従来、画像形成装置を備える画像形成システムでは、印刷するユーザの情報を利用した処理を行うものがある。
【０００３】
例えば、従来の特許文献１に記載の画像形成システムでは、各ユーザの情報を利用して、認証により画像形成の結果を出力する場合に、画像形成の結果を出力する権利を他のユーザに譲渡する機能に対応している。
【先行技術文献】
【特許文献】
【０００４】
【特許文献１】特開２０１５−３６９５１号公報
【発明の概要】
【発明が解決しようとする課題】
【０００５】
ところで、従来、ユーザ情報を管理可能なシステムとしては、例えば、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）やＬＤＡＰの構造を利用したシステム（例えば、Ｗｉｎｄｏｗｓ（登録商標）のＡｃｔｉｖｅ  Ｄｉｒｅｃｔｏｒｙ等）が存在する。これらのシステムで管理されるユーザ情報には、ユーザを管理するための様々な属性（項目）の情報が含まれている。そして、上述のようなユーザ情報を有効活用することにより、種々のシステム（例えば、画像形成システム）の利便性向上の余地がある。
【０００６】
以上のような状況に鑑みて、画像形成装置で媒体に画像形成させる際の利便性を向上させる情報処理装置、情報処理プログラム、及び画像形成システムが望まれている。
【課題を解決するための手段】
【０００７】
第１の本発明は、複数の画像形成装置のいずれかに対して、画像形成を依頼する情報処理装置において、（１）当該情報処理装置のユーザの属性を示すユーザ属性情報と、それぞれの画像形成装置の属性を示す画像形成装置属性情報を取得する情報取得手段と、（２）設定された画像形成装置に対して画像形成を依頼する画像形成依頼処理手段と、（３）前記情報取得手段が取得したユーザ属性情報、及び画像形成装置属性情報に基づいて、画像形成を依頼する画像形成装置を選択し、選択した画像形成装置へ画像形成を依頼するように前記画像形成依頼処理手段に対する設定を行う画像形成設定手段とを有し、（４）前記画像形成設定手段は、前記画像形成設定手段で選択された画像形成装置を、通常使用する画像形成装置として前記画像形成依頼処理手段に設定することを特徴とする。
【０００８】
第２の本発明の情報処理プログラムは、複数の画像形成装置のいずれかに対して、画像形成を依頼する情報処理装置に搭載されたコンピュータを、（１）当該情報処理装置のユーザの属性を示すユーザ属性情報と、それぞれの画像形成装置の属性を示す画像形成装置属性情報を取得する情報取得手段と、（２）設定された画像形成装置に対して画像形成を依頼する画像形成依頼処理手段と、（３）前記情報取得手段が取得したユーザ属性情報、及び画像形成装置属性情報に基づいて、画像形成を依頼する画像形成装置を選択し、選択した画像形成装置へ画像形成を依頼するように前記画像形成依頼処理手段に対する設定を行う画像形成設定手段として機能させ、（４）前記画像形成設定手段は、前記画像形成設定手段で選択された画像形成装置を、通常使用する画像形成装置として前記画像形成依頼処理手段に設定することを特徴とする。
【０００９】
第３の本発明は、複数の画像形成装置と、いずれかの前記画像形成装置に画像形成を依頼する情報処理装置とを備える画像形成システムにおいて、前記情報処理装置として第１の本発明の情報処理装置を適用したことを特徴とする。
【発明の効果】
【００１０】
本発明によれば、画像形成装置で媒体に画像形成させる際の利便性を向上させる情報処理装置、情報処理プログラム、及び画像形成システムを提供することができる。
【図面の簡単な説明】
【００１１】
【図１】第１の実施形態に係る画像形成システムの全体構成の例について示したブロック図である。
【図２】第１の実施形態に係る画像形成装置の機能的構成の例について示したブロック図である。
【図３】第１の実施形態に係るＬＤＡＰサーバで保持されるユーザ情報ＤＢの構成例について示した説明図である。
【図４】第１の実施形態に係るＬＤＡＰサーバで保持されるプリンタ情報ＤＢの構成例について示した説明図である。
【図５】第１の実施形態に係る印刷端末の動作について示したフローチャート（その１）である。
【図６】第１の実施形態に係る印刷端末の動作について示したフローチャート（その２）である。
【図７】第２の実施形態に係る画像形成装置の動作について示したフローチャートである。
【発明を実施するための形態】
【００１２】
（Ａ）第１の実施形態
以下、本発明による情報処理装置、情報処理プログラム、及び画像形成システムの第１の実施形態を、図面を参照しながら詳述する。以下では、本発明の情報処理装置を印刷端末に適用した例について説明する。
【００１３】
（Ａ−１）第１の実施形態の構成
画像形成システム１には、情報提供装置としてのＬＤＡＰサーバ１０、印刷端末２０、及びＮ台の画像形成装置３０（３０−１〜３０−Ｎ）が配置されている。ＬＤＡＰサーバ１０、印刷端末２０、及びＮ台の画像形成装置３０（３０−１〜３０−Ｎ）は、それぞれネットワーク４０に接続しており、相互に通信が可能な構成となっているものとする。なお、画像形成システム１を構成する各装置の台数は限定されないものである。画像形成システム１は、例えば、複数のプリンタ（画像形成装置３０）と複数のユーザ端末（印刷端末２０）が配置されたオフィスで用いられるシステムであるものとする。
【００１４】
画像形成装置３０は、印刷端末２０から印刷データ（印刷ジョブのデータ）が供給されると、その印刷データに基づく画像を用紙（媒体）に印刷（画像形成）する。なお、この実施形態の画像形成装置３０は、コピー機能等のプリンタ機能以外の機能にも対応した複合機であるものとして説明する。
【００１５】
印刷端末２０は、ユーザの操作に従って、印刷ジョブのデータ（印刷データ）を生成して、いずれかの画像形成装置３０に生成した印刷データを送信して、印刷の依頼を行う。また、印刷端末２０は、印刷データを生成していずれかの画像形成装置３０に印刷データを生成する処理に際して、ユーザ属性に応じた処理を行う。
【００１６】
「ユーザ属性」とは、例えば、当該印刷端末２０を操作中のユーザに係る属性を示すものである。そして、印刷端末２０は、自装置にログイン中のユーザ（以下「ログインユーザ」とも呼ぶ）に係る属性情報（以下、「ユーザ属性情報」とも呼ぶ）をＬＤＡＰサーバ１０から取得する。ユーザ属性情報の詳細については後述する。
【００１７】
ＬＤＡＰサーバ１０は、印刷端末２０等のネットワーク４０に接続している装置に対して、種々のデータ（情報）を提供するサーバである。
【００１８】
ＬＤＡＰは、近年、社内システムに多く導入されているデータベース技術であり、ユーザ名だけでなく、さまざまなユーザ属性の情報を保存することができる。この実施形態のＬＤＡＰサーバ１０では、ユーザに関する情報だけでなく画像形成装置３０の情報も保存（管理）することができるものとして説明する。
【００１９】
ＬＤＡＰサーバ１０は、ＬＤＡＰ処理部１１及び記憶部１２を有している。
【００２０】
ＬＤＡＰサーバ１０は、例えば、ＰＣやワークステーション等のコンピュータ上に実施形態の情報提供プログラム等をインストールすることにより構成することができるが、機能的には図１のように示すことができる。
【００２１】
ＬＤＡＰ処理部１１は、記憶部１２に記憶されているデータベースのデータを管理すると共に、クライアント（例えば、印刷端末２０）に対して、ＬＤＡＰのサービス（データベースサービス）を提供する。言い換えると、ＬＤＡＰ処理部１１は、ＬＤＡＰのサーバ機能に係るデータ処理を実行する。
【００２２】
記憶部１２は、ＬＤＡＰ処理部１１で管理されるデータベースのデータ等を記憶する記憶手段である。
【００２３】
この実施形態では、記憶部１２には、ユーザ（例えば、印刷端末２０を利用するユーザ）ごとのユーザ属性情報が登録されたユーザ情報ＤＢ１２１と、画像形成装置３０ごとの属性の情報（以下、「プリンタ属性情報」、又は「画像形成装置属性情報」とも呼ぶ）が登録されたプリンタ情報ＤＢ１２２が記憶されている。
【００２４】
図３は、ユーザ情報ＤＢ１２１の構成例について示した説明図である。
【００２５】
この実施形態のユーザ情報ＤＢ１２１には、ユーザごとに、ユーザＩＤ、パスワード、生年月日、所属、電話番号、スパン番号、及び性別を含む項目の情報が登録されている。
【００２６】
「ユーザＩＤ」はユーザの識別子を示している。
【００２７】
「スパン番号」は、この実施形態では、当該ユーザの位置（例えば、当該ユーザが使用する印刷端末２０の位置）を示しているものとする。この実施形態の例では、各画像形成装置３０や各印刷端末２０は、複数フロアで構成されるオフィス内に配置されているものとする。そして、当該オフィス内の各フロアは複数のブロック（区画）に区切って管理されており、各フロアの各ブロックに対して付与される識別子（すなわち、オフィス内の各ブロックの識別子）として「スパン番号」が用いられるものとする。この実施形態では、スパン番号は、フロアの階数と当該フロア内でのブロックの番号の組み合わせで構成されているものとする。例えば、図３に示すＵｓｅｒＡのスパン番号「２−４Ａ」は、フロアの階数を示す「２」と、当該フロア（２階）内でのブロック番号を示す「４Ａ」で構成されている。
【００２８】
この実施形態では、各ユーザ（各印刷端末２０）や各画像形成装置３０は、いずれかのスパン番号で示されるブロック内（領域内）に存在するものとして説明する。すなわち、この実施形態では、スパン番号は、各ユーザ（印刷端末２０）や各画像形成装置３０の位置情報として用いられる情報であるものとする。なお、各ユーザ（各印刷端末２０）や各画像形成装置３０の位置情報として用いられる情報はスパン番号に限定されず、種々の形式の情報を適用することができる。
【００２９】
図４は、プリンタ情報ＤＢ１２２の構成例について示した説明図である。
【００３０】
ユーザ情報ＤＢ１２１には、画像形成装置３０ごとに、プリンタＩＤ、ＩＰアドレス、スパン番号、管理者及び備考を含む項目の情報が登録されている。
【００３１】
「プリンタＩＤ」は、画像形成装置３０の識別子を示している。
【００３２】
「ＩＰアドレス」は、当該画像形成装置３０のネットワーク４０上のアドレスを示している。
【００３３】
「スパン番号」は当該画像形成装置３０の位置情報を示している。
【００３４】
「管理者」は、当該画像形成装置３０を管理する担当者（ユーザ）のユーザＩＤを示している。
【００３５】
「備考」は、当該画像形成装置３０に係る種々の情報（例えば、当該画像形成装置３０の機種名等）を示している。
【００３６】
以上のように第１の実施形態では、ＬＤＡＰサーバ１０に保存されたユーザ情報ＤＢ１２１だけでなく、プリンタ情報ＤＢ１２２も組み合わせて活用することにより、システムそのものを動的に変化させることができる。
【００３７】
次に、印刷端末２０の内部構成について説明する。
【００３８】
印刷端末２０は、オペレーティングシステム２１、情報取得手段としての情報取得プログラム２２、画像形成設定手段としての印刷設定プログラム２３、画像形成依頼処理手段としてのプリンタ管理部２４、及びアプリケーション２５を有している。
【００３９】
印刷端末２０は、例えば、ＰＣやワークステーション等のコンピュータ上に実施形態の情報処理プログラム等をインストールすることにより構成することができるが、機能的には図１のように示すことができる。
【００４０】
オペレーティングシステム２１は、当該印刷端末２０（コンピュータ）のオペレーティングシステムである。この実施形態では、印刷設定プログラム２３、プリンタ管理部２４、及びアプリケーション２５は、オペレーティングシステム２１上で動作するプログラムであるものとする。
【００４１】
また、オペレーティングシステム２１は、起動に際してユーザからのログイン（例えば、ユーザＩＤ及びパスワードを用いたログイン認証）を受付ける。そして、オペレーティングシステム２１は、ログインが成功したユーザのユーザＩＤに対応する権限や属性に基づいて、各アプリケーションの処理を実行する。画像形成システム１におけるユーザログインの方式(例えば、認証方式等)については限定されないものである。画像形成システム１では、例えば、図示しないログイン管理サーバ等を用いて各印刷端末２０のユーザログインを管理／制御するようにしてもよいし、各印刷端末２０において単独（スタンドアローン）で、ユーザログインを受付けるようにしてもよい。
【００４２】
アプリケーション２５は、例えば、文書編集プログラム等の印刷対象となるデータを編集するアプリケーションであるものとする。
【００４３】
プリンタ管理部２４は、１又は複数のプリンタ設定Ｄを管理するものである。プリンタ設定Ｄは、対応する画像形成装置３０に印刷を依頼するための種々のデータ（例えば、当該画像形成装置３０に対応するプリンタドライバや当該画像形成装置３０の各種パラメータ情報等）が設定されたデータ（オブジェクト）である。
【００４４】
プリンタ管理部２４としては、例えば、オペレーティングシステム２１上で設定されたプリンタ（画像形成装置３０）を管理するための管理プログラムを適用することができる。プリンタ管理部２４のシステム構成やデータ構造については限定されないものであるが、この実施形態（図１）では説明を簡易とするために、各画像形成装置３０に対応するオブジェクトとしてプリンタ設定Ｄを図示している。プリンタ管理部２４は、例えば、オペレーティングシステム２１がＷｉｎｄｏｗｓであれば、Ｗｉｎｄｏｗｓにおけるプリンタ管理プログラム（例えば、「デバイスとプリンタ」の管理プログラム）を適用することができる。この場合、１つのプリンタ設定Ｄは、「デバイスとプリンタ」上に登録された１つのプリンタ（プリンタのオブジェクト）が対応する。この実施形態では、印刷端末２０のプリンタ管理部２４に、２個のプリンタ設定Ｄ（Ｄ−１、Ｄ−２）が登録されているものとして説明する。なお、プリンタ管理部２４に登録されるプリンタ設定Ｄの数は限定されないものである。
【００４５】
プリンタ管理部２４では、いずれかのプリンタ設定Ｄが「通常使うプリンタ」（デフォルトのプリンタ）として設定されているものとする。例えば、アプリケーション２５では、「通常使うプリンタ」として設定された画像形成装置３０（プリンタ設定Ｄ）が、優先的に利用される。具体的には、例えば、アプリケーション２５で、ユーザの操作に応じて印刷処理を実行する画面（以下、「印刷画面」とも呼ぶ）に移行すると、当該印刷画面では、当初印刷先のプリンタとして「通常使うプリンタ」に設定された画像形成装置３０（プリンタ設定Ｄ）が選択された状態となる。そして、当該印刷画面では、ユーザの操作に応じて、印刷先として他の画像形成装置３０（プリンタ設定Ｄ）の選択を受付けることができる。なお、印刷端末２０において、上述のような印刷画面の処理は、オペレーティングシステム２１に標準的に搭載された機能を用いて実現するようにしてもよい。
【００４６】
情報取得プログラム２２は、当該印刷端末２０のログインユーザのユーザＩＤ（オペレーティングシステム２１のログインに用いられたユーザＩＤ）に対応する種々の情報を、ＬＤＡＰサーバ１０（ユーザ情報ＤＢ１２１、及びプリンタ情報ＤＢ１２２）から取得する。情報取得プログラム２２は、ログインユーザのユーザＩＤに対応するユーザ属性情報を取得する。また、情報取得プログラム２２は、ログインユーザに対応する画像形成装置３０（例えば、ログインユーザとスパン番号が共通する画像形成装置３０）のプリンタ属性情報を取得する。以下では、情報取得プログラム２２が取得したログインユーザに対応する画像形成装置３０のリスト（例えば、プリンタ属性情報のリスト）を「プリンタリスト」と呼ぶものとする。
【００４７】
印刷設定プログラム２３は、情報取得プログラム２２が生成したプリンタリストから、いずれかの画像形成装置３０を選択し、当該画像形成装置３０に対応するプリンタ設定Ｄをプリンタ管理部２４に設定させる処理を行う。
【００４８】
次に、画像形成装置３０の内部構成について、図２を用いて説明する。
【００４９】
第１の実施形態において、画像形成装置３０の具体的な構成については限定されないものであるが、以下では、説明を簡易とするために各画像形成装置３０は図２に示す構成であるものとする。
【００５０】
図２に示す画像形成装置３０は、画像形成制御部３１、画像形成部３２、操作表示部３３、音声出力部３４、及びスキャナ３５を有している。各画像形成装置３０の構成は限定されないものであるが、この実施形態では、画像形成部３２、操作表示部３３、音声出力部３４、及びスキャナ３５を備える複合機であるものとして説明する。
【００５１】
画像形成制御部３１は、画像形成装置３０内の各部の構成要素を制御する機能を担っている。
【００５２】
画像形成部３２は、画像形成制御部３１から供給された印刷データに応じた画像を媒体としての用紙に印刷する機能を担っている。
【００５３】
操作表示部３３は、当該画像形成装置３０における操作受付及び情報出力を行うユーザインタフェースの機能を担っている。操作表示部３３を構成するデバイスは限定されないものであるが、例えば、タッチパネルディスプレイやハードウェアボタン等を組み合わせて構成するようにしてもよい。操作表示部３３は、例えば、画像形成制御部３１の制御に応じた操作画面（ＧＵＩ画面）を表示してユーザに情報出力すると共に、ユーザからの操作受付を行うようにしてもよい。
【００５４】
音声出力部３４は、画像形成制御部３１の制御に応じた音声出力（例えば、音声ガイダンスや操作音等の出力）を行うものである。
【００５５】
スキャナ３５は、セットされた原稿を読み取る機能を担っている。
【００５６】
（Ａ−２）第１の実施形態の動作
次に、以上のような構成を有する第１の実施形態における画像形成システム１の動作を説明する。
【００５７】
図５、図６は、任意の印刷端末２０の動作（印刷端末２０を中心とする動作）について示したフローチャートである。
【００５８】
まず、印刷端末２０のオペレーティングシステム２１においてユーザのログイン（任意のログインＩＤを用いたログイン）が行われたものとする（Ｓ１０１）。
【００５９】
オペレーティングシステム２１でログインが行われると、情報取得プログラム２２が開始（起動）する（Ｓ１０２）。例えば、オペレーティングシステム２１において、ログイン成功時に、自動的に情報取得プログラム２２を実行するように設定しておくようにしてもよい。
【００６０】
情報取得プログラム２２は、開始（起動）すると、ログインユーザのユーザＩＤ（ログイン名）を取得（オペレーティングシステム２１から取得）する（Ｓ１０３）。
【００６１】
次に、情報取得プログラム２２は、ＬＤＡＰサーバ１０に接続して、ログインユーザのユーザＩＤ（ログイン名）に対応するユーザ属性情報を問い合わせて、取得する（Ｓ１０４、Ｓ１０５）。
【００６２】
次に、情報取得プログラム２２は、ＬＤＡＰサーバ１０に接続し、各画像形成装置３０のプリンタ属性情報を問い合わせて取得する（Ｓ１０６、Ｓ１０７）。
【００６３】
次に、情報取得プログラム２２は、取得したログインユーザの属性情報からスパン番号（位置情報の項目）を抽出して保持する（Ｓ１０８）。
【００６４】
次に、情報取得プログラム２２は、ＬＤＡＰサーバ１０から取得したプリンタ属性情報から、ログインユーザとスパン番号が一致するプリンタ属性情報（画像形成装置３０）を抽出する（Ｓ１０９）。
【００６５】
次に、情報取得プログラム２２は、抽出したプリンタ属性情報（画像形成装置３０）のリストをプリンタリストとして保持し、印刷設定プログラム２３に供給する（Ｓ１１０）。
【００６６】
以上の処理により情報取得プログラム２２は終了する。
【００６７】
次に、印刷設定プログラム２３の動作について、図６のフローチャートを用いて説明する。
【００６８】
印刷設定プログラム２３は、情報取得プログラム２２からプリンタリストが供給されると動作を開始（起動）する（Ｓ２０１）。
【００６９】
次に、印刷設定プログラム２３は、プリンタ管理部２４の現在のプリンタ設定（例えば、「通常使用するプリンタ」として設定されているプリンタ設定Ｄ）を取得（確認）する（Ｓ２０２）。
【００７０】
次に、印刷設定プログラム２３は、プリンタリストにプリンタ管理部２４の現在のプリンタ設定と一致するプリンタ属性情報が存在するか否かを判定する（Ｓ２０３）。印刷設定プログラム２３は、例えば、プリンタ管理部２４で「通常使用するプリンタ」として設定されているプリンタ設定ＤとプリンタＩＤが一致するプリンタ属性情報がプリンタリストに存在するか否かを確認する。
【００７１】
そして、上述のステップＳ２０３で、プリンタリストにプリンタ管理部２４の現在のプリンタ設定と一致するプリンタ属性情報が存在しないと判定された場合、印刷設定プログラム２３は、プリンタリストからいずれかのプリンタ属性情報（画像形成装置３０）を選択する。そして、印刷設定プログラム２３は、プリンタ管理部２４を制御して、選択したプリンタ属性情報（画像形成装置３０）に対応するプリンタ設定Ｄを設定させる（Ｓ２０４）。
【００７２】
例えば、印刷設定プログラム２３は、プリンタ管理部２４に、プリンタリストのいずれかと一致するプリンタ設定Ｄが含まれている場合、プリンタ管理部２４を制御して当該プリンタ設定Ｄを「通常使用するプリンタ」に設定変更させるようにしてもよい。また、例えば、印刷設定プログラム２３は、プリンタ管理部２４に、プリンタリストのいずれかと一致するプリンタ設定Ｄが含まれていない場合、プリンタ管理部２４を制御して、プリンタリストのいずれかのプリンタ属性情報（画像形成装置３０）に対応するプリンタ設定Ｄを新たに生成させ、新たに生成させたプリンタ設定Ｄを「通常使用するプリンタ」に設定変更させるようにしてもよい。
【００７３】
なお、印刷設定プログラム２３は、設定しようとする画像形成装置３０（ユーザ属性情報とスパン番号が一致する画像形成装置３０）が、プリンタ管理部２４で未登録の機種だった場合、新たにプリンタドライバも含めてプリンタ管理部２４（プリンタ設定Ｄ）に設定するようにしてもよい。例えば、印刷設定プログラム２３は、プリンタ管理部２４の各プリンタ設定Ｄの機種名に、今回プリンタ設定Ｄを生成しようとする画像形成装置３０の機種名（プリンタ属性情報の機種名）が含まれていない場合、設定しようとする画像形成装置３０が未登録の機種であると判断するようにしてもよい。プリンタ管理部２４が、未登録の機種に係るプリンタドライバを取得する方式については限定されないものであり種々の方式を適用することができる。プリンタ管理部２４は、例えば、オペレーティングシステム２１で予め蓄積しているプリンタドライバを適用したり、ネットワーク上からプリンタドライバを取得して適用するようにしてもよい。
【００７４】
一方、上述のステップＳ２０３で、プリンタリストにプリンタ管理部２４の現在のプリンタ設定と一致するプリンタ属性情報が存在すると判定された場合、印刷設定プログラム２３は、特にプリンタ管理部２４に設定変更させることなく処理を終了する。
【００７５】
（Ａ−３）第１の実施形態の効果
第１の実施形態によれば、以下のような効果を奏することができる。
【００７６】
第１の実施形態の画像形成システム１では、印刷端末２０が、ＬＤＡＰサーバ１０の情報（ユーザ属性情報及びプリンタ属性情報）を取得して、印刷処理等に活用している。具体的には、第１の実施形態の画像形成システム１では、印刷端末２０が、ログインユーザのスパン番号（位置情報）と一致する画像形成装置３０（ユーザに近い画像形成装置３０）を検出してプリンタ管理部２４に設定（プリンタ設定Ｄを設定）している。これにより、印刷端末２０では、ユーザの手動動作ではなく、ＬＤＡＰサーバ１０の情報（ユーザ属性情報及びプリンタ属性情報）に基づいた最適な設定に基づいて画像形成装置３０を利用することが可能となる。すなわち、第１の実施形態では、印刷端末２０のユーザの煩雑さを低減して利便性の向上等の効果を奏することができる。
【００７７】
（Ｂ）第２の実施形態
以下、本発明による情報処理装置、情報処理プログラム、及び画像形成システムの第２の実施形態を、図面を参照しながら詳述する。以下では、本発明の情報処理装置を印刷端末に適用した例について説明する。
【００７８】
（Ｂ−１）第２の実施形態の構成
第２の実施形態の画像形成システム１の構成についても上述の図１、図２を用いて示すことができる。以下では、第２の実施形態について第１の実施形態との差異を中心に説明する。
【００７９】
第１の実施形態では、印刷端末２０が、ユーザ属性情報及びプリンタ属性情報に基づいた動作を行う例について説明した。
【００８０】
これに対して、第２の実施形態では、画像形成装置３０（画像形成制御部３１）が、種々の機能に係る動作を行う際に、ユーザ（例えば、ログインしているユーザ）のユーザ属性情報を取得し、取得したユーザ属性情報に基づいた動作（当該画像形成装置３０内の各部の制御）を行う。
【００８１】
例えば、第２の実施形態の画像形成制御部３１は、取得したユーザ属性情報の生年月日の項目に基づいてユーザの年齢を算出し、算出した年齢基づいた動作（当該画像形成装置３０内の各部の制御）を行うようにしてもよい。例えば、画像形成制御部３１は、ユーザの年齢が閾値以上の場合には、印刷する文字の大きさを通常よりも大きくするように画像形成制御部３１を制御するようにしてもよい。また、例えば、画像形成制御部３１は、ユーザの年齢が閾値以上の場合には、操作表示部３３に表示させる文字を通常よりも大きくしたり、音声出力部３４から出力する音声のボリュームを通常よりも大きくするようにしてもよい。
【００８２】
（Ｂ−２）第２の実施形態の動作
次に、以上のような構成を有する第２の実施形態における画像形成システム１の動作を説明する。
【００８３】
図７は、第２の実施形態の画像形成装置３０（画像形成制御部３１）の動作について示したフローチャートである。
【００８４】
図７では、第２の実施形態の画像形成装置３０において、コピーの処理が実行される場合の例について示している。
【００８５】
まず、操作表示部３３によりユーザの操作を受け付けて、ログイン処理が完了したものとする（Ｓ３０１）。
【００８６】
次に、画像形成制御部３１は、ログインユーザのログイン名（ログインＩＤ）を取得する（Ｓ３０２）。
【００８７】
次に、画像形成制御部３１は、取得したユーザＩＤに対応するユーザ属性情報をＬＤＡＰサーバ１０（ユーザ情報ＤＢ１２１）に問い合わせて取得する（Ｓ３０３、Ｓ３０４）。
【００８８】
次に、画像形成制御部３１は、取得したユーザ属性情報の生年月日に基づいて、ユーザの年齢（ユーザＩＤに対応する年齢）を算出する（Ｓ３０５）。
【００８９】
次に、ユーザの操作により、操作表示部３３でコピー機能が選択され、さらにスキャナ３５に原稿がセットされたものとする。そして、ユーザの操作により、操作表示部３３でコピーの設定及びコピー開始の操作受付が行われたものとする。このとき、画像形成制御部３１は、ユーザの年齢に基づいた処理を、操作表示部３３及び音声出力部３４に実行させる（Ｓ３０６）。例えば、画像形成制御部３１は、ユーザの年齢が閾値以上（例えば、６０歳以上）の場合には、操作表示部３３に表示させる操作画面上の文字の大きさを通常より大きくさせたり、音声出力部３４から出力させる音声ガイダンスのボリュームを通常より大きくする等の制御を行う。
【００９０】
コピーの開始の操作を受け付けると、画像形成制御部３１は、スキャナ３５にセットされた原稿を読み取らせ、スキャナ３５により読み取られた画像を画像形成部３２に印刷させる制御を行い（Ｓ３０７）、コピー処理を終了する。
【００９１】
以上のように、第２の実施形態の画像形成装置３０（画像形成制御部３１）は、ユーザのユーザ属性情報に基づいた動作（当該画像形成装置３０内の各部の制御）を行う。なお、ここでは第２の実施形態の画像形成装置３０においてコピー機能が行われる場合の例について示したが、第２の実施形態の画像形成装置３０では、コピー機能以外の処理を行う際にも、同様の処理（例えば、年齢に応じて表示する文字を大きくしたり、音声出力するボリュームを大きくする処理）を行うようにしてもよいことは当然である。
【００９２】
（Ｂ−３）第２の実施形態の効果
第２の実施形態によれば、第１の実施形態の効果に加えて以下のような効果を奏することができる。
【００９３】
第２の実施形態の画像形成システム１では、画像形成装置３０においてもユーザのユーザ属性情報に基づいた動作（当該画像形成装置３０内の各部の制御）を行い、ユーザの利便性を向上させる等の効果を奏する。
【００９４】
（Ｃ）他の実施形態
本発明は、上記の各実施形態に限定されるものではなく、以下に例示するような変形実施形態も挙げることができる。
【００９５】
（Ｃ−１）上記の実施形態では、画像形成装置３０は、複合機であるものとして説明したが、単機能のプリンタ（例えば、画像形成制御部３１と画像形成部３２のみを備える構成）としてもよい。
【００９６】
（Ｃ−２）第１の実施形態では、印刷端末２０は、ユーザログインの都度ＬＤＡＰサーバ１０からユーザ属性情報及びプリンタ属性情報を取得するものとして説明したが、印刷端末２０がユーザ属性情報及びプリンタ属性情報を保持しておくようにしてもよい。例えば、印刷端末２０が、ユーザ属性情報及びプリンタ属性情報を予めキャッシングしておき、所定のタイミングでキャッシングしているデータを更新（例えば、ＬＤＡＰサーバ１０から読み込んで更新）するようにしてもよい。第２の実施形態においても同様の、画像形成装置３０が、ユーザ属性情報及びプリンタ属性情報を保持しておくようにしてもよい。
【００９７】
（Ｃ−３）上記の各実施形態では、ユーザ属性情報及びプリンタ属性情報を管理するシステム（データベース）としてＬＤＡＰサーバ１０を用いる例について説明したが、その他のデータベースシステム（例えば、Ａｃｔｉｖｅ  Ｄｉｒｅｃｔｏｒｙ等の他のシステム）に置き換えるようにしてもよい。
【００９８】
（Ｃ−４）第２の実施形態では、画像形成装置３０の画像形成制御部３１は、ユーザ属性情報の生年月日に基づいてユーザの年齢を把握しているが、ユーザ属性情報に年齢そのものを設定するようにしてもよい。
【符号の説明】
【００９９】
１…画像形成システム、１０…ＬＤＡＰサーバ、１１…ＬＤＡＰ処理部、１２…記憶部、２０…印刷端末、２１…オペレーティングシステム、２２…情報取得プログラム、２３…印刷設定プログラム、２４…プリンタ管理部、２５…アプリケーション、３０…画像形成装置、３１…画像形成制御部、３２…画像形成部、３３…操作表示部、３４…音声出力部、３５…スキャナ、Ｄ…プリンタ設定、ＤＢ１２１…ユーザ情報、ＤＢ１２２…プリンタ情報、４０…ネットワーク。
【図１】
0006453172.tif 000002
【図２】
0006453172.tif 000003
【図３】
0006453172.tif 000004
【図４】
0006453172.tif 000005
【図５】
0006453172.tif 000006
【図６】
0006453172.tif 000007
【図７】
0006453172.tif 000008